(57)【要約】【課題】幅の異なる携帯機器に対応できるとともに、携帯機器の幅方向と直交する方向に外れるのを抑制することが可能な画像形成装置を提供する。【解決手段】この画像形成装置（熱転写プリンタ）は、筐体１と、携帯電話２から送信される画像データを受信するための画像データ受信部３とを備え、携帯電話２は、画像データを赤外線送信するための画像データ送信部２ｂを有する。筐体１には、携帯電話２を保持する保持部１０が設けられ、保持部１０は、携帯電話２の幅方向にスライド可能で、かつ、携帯電話２を幅方向から挟み込むように配置され、傾斜部１２ａを有する固定部材１２と、固定部材１２を携帯電話２側に付勢する圧縮コイルバネ１４とを含む。画像データ受信部３は、携帯電話２の画像データ送信部２ｂと対応する位置に設けられ、保持部１０の底面には、孔１３ａが設けられ、固定部材１２は、孔１３ａにスライド可能に嵌合する嵌合部１２ｃを有する。【選択図】図１１
2007182010.tif 000002
【特許請求の範囲】
【請求項１】
印画部が内蔵される筐体と、画像データを無線送信するための画像データ送信部を含む携帯電話から送信される画像データを無線受信するための画像データ受信部とを備える画像形成装置において、
前記筐体に設けられ、前記携帯電話を保持する保持部と、
前記保持部に前記携帯電話を挟み込むように配置され、前記携帯電話の幅方向にスライド可能な一対の固定部材と、
前記一対の固定部材をそれぞれ前記携帯電話側に付勢するバネ定数の実質的に等しい一対のバネ部材とをさらに備え、
前記一対の固定部材の前記携帯電話側の側面には、下方から上方に向かって前記携帯電話側に突出する傾斜部が形成されており、前記傾斜部は、前記携帯電話を前記携帯電話の幅方向および前記携帯電話の幅方向と直交する方向に押圧するように前記携帯電話の側面の上部に当接し、
前記画像データ受信部は、前記携帯電話の固定状態において前記携帯電話の画像データ送信部と対応する位置に設けられ、
前記保持部の底面には、前記固定部材に対応する位置に孔が設けられ、前記固定部材は、前記孔にスライド可能に嵌合する凸状の嵌合部を有する、画像形成装置。
【請求項２】
印画部が内蔵される筐体と、
前記筐体に設けられ、画像データを無線送信するための画像データ送信部を含む携帯機器を保持する保持部と、
前記保持部に設けられ、前記携帯機器を前記携帯機器の幅方向および前記携帯機器の幅方向と直交する方向に押圧するように前記携帯機器に当接する、スライド移動可能な固定部材と、
前記携帯機器の固定状態において前記携帯機器の画像データ送信部と対応する位置に設けられるとともに、前記携帯機器の画像データ送信部から送信される画像データを無線受信するための画像データ受信部とを備える、画像形成装置。
【請求項３】
前記固定部材の前記携帯機器側の側面には、下方から上方に向かって前記携帯機器側に突出する傾斜部が形成されており、前記傾斜部は、前記携帯機器を前記携帯機器の幅方向および前記携帯機器の幅方向と直交する方向に押圧するように、前記携帯機器の側面の上部に当接する、請求項２に記載の画像形成装置。
【請求項４】
前記保持部は、前記携帯機器の幅方向にスライド可能で、かつ、前記携帯機器を前記携帯機器の幅方向から挟み込むように配置された一対の前記固定部材を含み、前記一対の固定部材は、それぞれ、付勢部材により前記携帯機器側に付勢されている、請求項２または３に記載の画像形成装置。
【請求項５】
前記一対の固定部材の一対の付勢部材は、バネ定数の実質的に等しい一対のバネ部材を含む、請求項４に記載の画像形成装置。
【請求項６】
前記保持部の底面には、前記固定部材に対応する位置に孔が設けられ、
前記固定部材は、前記孔にスライド可能に嵌合する凸状の嵌合部を有する、請求項２〜５のいずれか１項に記載の画像形成装置。
【発明の詳細な説明】
【技術分野】
【０００１】
この発明は、画像形成装置に関し、特に、携帯機器から画像データを無線受信する画像データ受信部を備える画像形成装置に関する。
【背景技術】
【０００２】
従来、携帯電話から画像データを無線受信する画像データ受信部を備える画像形成装置が知られている。図２０は、従来の熱転写プリンタの全体構造を示す斜視図である。図２１および図２２は、データ通信の規格であるＩｒ−ＤＡの特性を説明するための図である。図２０〜図２２を参照して、従来の熱転写プリンタの構造および画像データの送受信について説明する。
【０００３】
従来の熱転写プリンタは、図２０に示すように、筐体１０１と、携帯電話１０２により送信された画像データを受信する画像データ受信部１０３とを備えている。また、従来の熱転写プリンタには、用紙が収納された給紙カートリッジ１０４とインクシートカートリッジ１５０とが脱着可能に装着されている。また、筐体１０１には、インクシートカートリッジ１５０を挿入するための挿入孔１０１ａと、画像データ受信部１０３の表面を露出させるための孔１０１ｂと、挿入孔１０１ａを覆うように開閉可能に取り付けられる蓋１０１ｃとが設けられている。また、携帯電話１０２は、画像データを送信することができる画像データ送信部１０２ａを有する。
【０００４】
また、携帯電話１０２から従来の熱転写プリンタへの画像データの送信は、Ｉｒ−ＤＡによる赤外線通信により行われる。Ｉｒ−ＤＡとは、赤外線による通信の規格である。図２１および図２２に示すように、Ｉｒ−ＤＡの指向角は３０°と狭く設定されている。このため、図２２に示すように、携帯電話１０２の画像データ送信部１０２ａの向きや位置がずれると、送信された赤外線が画像データ受信部１０３に入射しなくなる。また、従来においては、ユーザーは、携帯電話１０２を手に持って送信していたため、送信開始から送信終了までの時間（数秒〜数十秒）の間、携帯電話１０２の画像データ送信部１０２ａの位置や向きがずれないように手で保持し続ける必要があった。そのため、携帯電話１０２を保持する手がぶれ易く、送信エラーになりやすいという不都合があった。
【０００５】
そこで、上記のような不都合を解消するために、携帯電話を固定するための構造が提案されている（たとえば、特許文献１および特許文献２参照）。
【０００６】
上記特許文献１に記載の構造では、プリンタ本体の上面に凹部が設けられている。そして、携帯電話（携帯機器）をその凹部に差し込むことにより携帯電話を固定する。
【０００７】
また、上記特許文献２に記載の構造では、固定的に設置され、側面が平坦面状である固定部材と、固定部材と対向する位置に設けられ、側面が平坦面状であるスライド可能な可動部材と、可動部材を固定部材側に付勢する弾性バネとを有する。この特許文献２では、携帯電話（携帯機器）を、固定部材の側面と弾性バネにより付勢された可動部材の側面との間に挟み込むことにより固定する。
【０００８】
【特許文献１】特開２００２−１２７５５８号公報
【特許文献２】特開２００４−３５９０６５号公報
【発明の開示】
【発明が解決しようとする課題】
【０００９】
しかしながら、上記特許文献１に記載の構造では、凹部を設けただけであるので、幅の異なる携帯電話（携帯機器）には対応できないという問題点がある。また、携帯電話（携帯機器）の幅方向と直交する方向に外れ易いという問題点もある。
【００１０】
また、上記特許文献２に記載の構造では、固定部材および可動部材の側面が平坦面状であるため、携帯電話（携帯機器）の幅方向には固定部材から押圧力が加わる一方、幅方向と直交する方向には押圧力が加わらない。このため、携帯電話（携帯機器）の幅方向と直交する方向には外れ易いという問題点がある。
【００１１】
この発明は、上記のような課題を解決するためになされたものであり、この発明の１つの目的は、幅の異なる携帯機器に対応できるとともに、携帯機器の幅方向と直交する方向に外れるのを抑制することが可能な画像形成装置を提供することである。
【課題を解決するための手段および発明の効果】
【００１２】
この発明の第１の局面における画像形成装置は、印画部が内蔵される筐体と、画像データを無線送信するための画像データ送信部を含む携帯電話（携帯機器）から送信される画像データを無線受信するための画像データ受信部とを備える画像形成装置において、筐体に設けられ、携帯電話を保持する保持部と、保持部に携帯電話を挟み込むように配置され、携帯電話の幅方向にスライド可能な一対の固定部材と、一対の固定部材をそれぞれ携帯電話側に付勢するバネ定数の実質的に等しい一対のバネ部材とをさらに備え、一対の固定部材の携帯電話側の側面には、下方から上方に向かって携帯電話側に突出する傾斜部が形成されており、傾斜部は、携帯電話を携帯電話の幅方向および携帯電話の幅方向と直交する方向に押圧するように携帯電話の側面の上部に当接し、画像データ受信部は、携帯電話の固定状態において携帯電話の画像データ送信部と対応する位置に設けられ、保持部の底面には、固定部材に対応する位置に孔が設けられ、固定部材は、孔にスライド可能に嵌合する凸状の嵌合部を有する。  
【００１３】
この第１の局面による画像形成装置では、上記のように、筐体に携帯電話を保持する保持部を設けるとともに、その保持部に、携帯電話に当接するスライド可能な固定部材を設けることによって、携帯電話の幅に応じて固定部材と携帯電話との当接位置を調節することができるので、幅の異なる携帯電話にも対応することができる。また、固定部材を、携帯電話の幅方向および携帯電話の幅方向と直交する方向に押圧するように携帯電話と当接するように形成することによって、携帯電話を携帯電話の幅方向のみならず、携帯電話の幅方向と直交する方向にも押圧して固定することができる。これにより、携帯電話が携帯電話の幅方向と直交する方向と反対方向に外れるのを有効に抑制することができる。また、携帯電話の固定状態において、携帯電話の画像データ送信部と対応する位置に設けられるとともに、携帯電話の画像データ送信部から送信される画像データを無線受信するための画像データ受信部を設けることによって、画像データの送信期間中に画像データ送信部と画像データ受信部との位置関係が固定されるので、通信エラーを抑制することができる。また、固定部材の携帯電話側の側面に、下方から上方に向かって突出する傾斜部を設け、その傾斜部を、携帯電話を携帯電話の幅方向および携帯電話の幅方向と直交する方向に押圧するように携帯電話の側面上部に当接させるように構成することによって、携帯電話の厚みが変化した場合にも、傾斜部が携帯電話の側面上部に当接するので、異なる厚みの携帯電話についても、携帯電話の幅方向のみならず、携帯電話の幅方向と直交する方向にも固定することができる。また、保持部に、携帯電話の幅方向にスライド可能で、かつ、携帯電話を携帯電話の幅方向から挟み込むように配置した一対の固定部材を設け、一対のバネ部材により一対の固定部材をそれぞれ携帯電話側に付勢することによって、携帯電話を一対の固定部材の間に置くだけで、携帯電話は、バネ部材の付勢力により付勢された一対の固定部材に両側から押圧されるため、携帯電話を保持部に固定することができる。また、一方の固定部材を付勢力に抗してスライドさせるだけで固定状態を解除することができる。このため、携帯電話の脱着を容易に行うことができる。また、一対のバネ部材のバネ定数を等しくすることによって、携帯電話の幅方向の両側面にかかる押圧力が等しくなるので、携帯電話の幅が異なる場合にも、携帯電話の幅の中心を保持部の中心に自動的に配置することができる。このため、携帯電話の幅方向の中心部に画像データ送信部が位置する場合に、携帯電話の幅が異なる際にも、携帯電話の画像データ送信部と、画像形成装置の画像データ受信部との位置関係を同じにすることができるので、良好な通信を行うことができる。また、保持部の底面に固定部材に対応する位置に孔を設け、固定部材に、孔にスライド可能に嵌合する凸状の嵌合部を設けることによって、固定部材が付勢方向にスライドする際に、固定部材の嵌合部が孔に引っ掛かるので、バネ部材により付勢されている固定部材が必要以上に付勢方向に移動するのを防止することができる。
【００１４】
この発明の第２の局面による画像形成装置は、印画部が内蔵される筐体と、筐体に設けられ、画像データを無線送信するための画像データ送信部を含む携帯機器を保持する保持部と、保持部に設けられ、携帯機器を携帯機器の幅方向および携帯機器の幅方向と直交する方向に押圧するように携帯機器に当接する、スライド移動可能な固定部材と、携帯機器の固定状態において携帯機器の画像データ送信部と対応する位置に設けられるとともに、携帯機器の画像データ送信部から送信される画像データを無線受信するための画像データ受信部とを備える。
【００１５】
この第２の局面による画像形成装置では、上記のように、筐体に携帯機器を保持する保持部を設けるとともに、その保持部に、携帯機器に当接するスライド可能な固定部材を設けることによって、携帯機器の幅に応じて固定部材と携帯機器との当接位置を調節することができるので、幅の異なる携帯機器にも対応することができる。また、固定部材を、携帯機器の幅方向および携帯機器の幅方向と直交する方向に押圧するように携帯機器と当接するように形成することによって、携帯機器を携帯機器の幅方向のみならず、携帯機器の幅方向と直交する方向にも押圧して固定することができる。これにより、携帯機器が携帯機器の幅方向と直交する方向に外れるのを有効に抑制することができる。また、携帯機器の固定状態において、携帯機器の画像データ送信部と対応する位置に設けられるとともに、携帯機器の画像データ送信部から送信される画像データを無線受信するための画像データ受信部を設けることによって、画像データの送信期間中に画像データ送信部と画像データ受信部との位置関係が固定されるので、通信エラーを抑制することができる。
【００１６】
上記第２の局面による画像形成装置において、好ましくは、固定部材の携帯機器側の側面には、下方から上方に向かって携帯機器側に突出する傾斜部が形成されており、傾斜部は、携帯機器の幅方向および携帯機器の幅方向と直交する方向に押圧するように、携帯機器の側面の上部に当接する。このように構成すれば、携帯機器の厚みが変化した場合にも、傾斜部が携帯機器の側面上部に当接するので、異なる厚みの携帯機器についても、携帯機器の幅方向のみならず、携帯機器の幅方向と直交する方向にも固定することができる。
【００１７】
上記第２の局面による画像形成装置において、好ましくは、保持部は、携帯機器の幅方向にスライド可能で、かつ、携帯機器を携帯機器の幅方向から挟み込むように配置された一対の固定部材を含み、一対の固定部材は、それぞれ、付勢部材により携帯機器側に付勢されている。このように構成すれば、携帯機器を一対の固定部材の間に置くだけで、携帯機器は、付勢部材の付勢力により付勢された一対の固定部材に両側から押圧されるため、携帯機器を保持部に固定することができる。また、一方の固定部材を付勢力に抗してスライドさせるだけで固定状態を解除することができる。このため、携帯機器の脱着を容易に行うことができる。
【００１８】
この場合、好ましくは、一対の固定部材の一対の付勢部材は、バネ定数の実質的に等しい一対のバネ部材を含む。このように構成すれば、携帯機器の幅方向の両側面にかかる押圧力が等しくなるので、携帯機器の幅が異なる場合にも、携帯機器の幅の中心を保持部の中心に自動的に配置することができる。このため、携帯機器の幅方向の中心部に画像データ送信部が位置する場合に、携帯機器の幅が異なる際にも、携帯機器の画像データ送信部と、画像形成装置の画像データ受信部との位置関係を同じにすることができるので、良好な通信を行うことができる。  
【００１９】
上記第２の局面による画像形成装置において、好ましくは、保持部の底面には、固定部材に対応する位置に孔が設けられ、固定部材は、孔にスライド可能に嵌合する凸状の嵌合部を有する。このように構成すれば、固定部材が付勢方向にスライドする際に、固定部材の嵌合部が孔に引っ掛かるので、付勢部材により付勢されている固定部材が必要以上に付勢方向に移動するのを防止することができる。
【発明を実施するための最良の形態】
【００２０】
以下、本発明の一実施形態を図面に基づいて説明する。
【００２１】
図１は、本発明の一実施形態による熱転写プリンタの全体構成を示す斜視図である。図２は、本発明の一実施形態による熱転写プリンタに取り付けられる携帯電話を示す斜視図である。図３〜図５は、本発明の一実施形態により熱転写プリンタに携帯電話を取り付けた状態を示す図である。図６〜図１２は、本発明の一実施形態による熱転写プリンタの詳細を示す図である。図１〜図１２を参照して、本発明の一実施形態による熱転写プリンタの構造について説明する。なお、本実施形態では、画像形成装置の一例である熱転写プリンタに本発明を適用した例について説明する。
【００２２】
本実施形態による熱転写プリンタは、図１および図３〜図５に示すように、印画部（図示せず）が内蔵される筐体１と、携帯電話２（図２参照）から送信される画像データを受信するための画像データ受信部３と、受信した画像データの画像を表示するための表示部４とを備えている。また、本実施形態による熱転写プリンタは、用紙が収納される給紙カートリッジ５と、インクシートカートリッジ５０とが着脱可能に装着されている。また、筐体１は、インクシートカートリッジ５０を挿入するための挿入孔１ａと、挿入孔１ａを覆うように開閉可能に取り付けられる蓋１ｂと、後述する支持板１３を取り付けるための溝部１ｃ（図７参照）と、ネジ穴１ｄ（図７参照）とを有する。また、筐体１には、画像データ受信部３の前面に取り付けられる光を透過可能な樹脂材料からなる受信用窓部６と、画像データ受信部３が画像データを受信可能な状態に切り換えるための切り換えボタン７と、通信エラーなどの情報をユーザーに伝えるための表示ランプ８とが設けられている。また、携帯電話２は、撮影機能を有するカメラ部２ａと、カメラ部２ａにより撮影した画像の画像データを赤外線送信（無線送信）するための画像データ送信部２ｂとを有する。また、本実施形態では、携帯電話２の画像データ送信部２ｂは、指向角が３０°と狭いＩｒ−ＤＡ規格による赤外線通信により画像データを画像データ受信部３に送信する。なお、本実施形態の携帯電話２は、本発明の「携帯機器」の一例である。
【００２３】
ここで、本実施形態では、図１および図３〜図５に示すように、筐体１には、携帯電話２を保持するための保持部１０が設けられている。保持部１０は、平面的に見て長方形状を有する凹形状に形成されている。図３〜図５に示すように、この凹形状の保持部１０に携帯電話２を載置することにより、携帯電話２は保持される。また、保持部１０は、図１および図６〜図１０に示すように、一対の切欠部１１と一対の切欠部１１にそれぞれ嵌め込まれる一対の固定部材１２と、固定部材１２を支持する支持板１３と、一対の固定部材１２をそれぞれ携帯電話２側に付勢するための実質的に等しいバネ定数を有する一対の圧縮コイルバネ１４と、支持板１３を筐体１に取り付けるためのネジ１５とを含んでいる。なお、本実施形態の圧縮コイルバネ１４は、本発明の「付勢部材」および「バネ部材」の一例である。
【００２４】
また、本実施形態では、図７〜図１０に示すように、支持板１３は、一対の固定部材１２の位置をそれぞれ規制するために設けられた一対の孔１３ａと、ネジ１５が挿入されるネジ挿入孔１３ｂとを有する。また、支持板１３は、一方端が筐体１に設けられた溝部１ｃに嵌め込まれており、他方端がネジ１５によって筐体１のネジ穴１ｄに取り付けられている。また、支持板１３の上面は、図１、図５、図９および図１０に示すように、携帯電話２が載置される保持部１０の底面と同一平面状に配置されるように取り付けられている。
【００２５】
また、固定部材１２は、図７および図８に示すように、携帯電話２を固定する側面の上部に設けられ、下方から上方に向かって携帯電話２側に突出する傾斜部１２ａと、圧縮コイルバネ１４が挿入される挿入孔１２ｂと、支持板１３の孔１３ａにスライド可能に嵌合する凸状の嵌合部１２ｃとを有する。図５および図６に示すように、固定部材１２のスライド方向（図６のＡ方向）と垂直方向の長さＷ１は、切欠部１１の同方向の長さＷ２より若干小さく形成されており、切欠部１１は、固定部材１２がスライド方向（図６のＡ方向）に移動するためのガイドの役割を有する。また、図７に示すように、固定部材１２の嵌合部１２ｃが、支持板１３の孔１３ａにスライド可能に嵌合しているため、圧縮コイルバネ１４により付勢された固定部材１２は、孔１３ａの携帯電話２側の縁に嵌合部１２ｃが当接したところで止まる。この固定部材１２のスライドストロークＭは、支持板１３の孔１３ａのスライド方向（Ａ方向）の長さＷ３を変えることにより調節することが可能である。
【００２６】
また、本実施形態では、携帯電話２の装着時において、図１１に示すように、厚みｔ１を有する携帯電話２の側面上部と固定部材１２の傾斜部１２ａとが当接する。このため、携帯電話２には、固定部材１２のスライド方向（携帯電話２の幅方向）（Ａ方向）の力が働くとともに、携帯電話２の側面上部に、斜め上から押さえるように力が働くことによって、携帯電話２は、固定部材１２のスライド方向（携帯電話２の幅方向）（Ａ方向）および携帯電話２の幅方向と直交する方向（Ｂ方向）に固定される。また、図１２に示すように、厚みｔ１とは異なる大きな厚みｔ２を有する携帯電話２０を装着した場合にも、傾斜部１２ａと、携帯電話２０の側面上部とが当接する。このため、厚みｔ１を有する携帯電話２のみならず厚みｔ１とは異なる厚みｔ２を有する携帯電話２０も、携帯電話２と同様に、固定部材１２のスライド方向（携帯電話２０の幅方向）（Ａ方向）および携帯電話２０の幅方向と直交する方向（Ｂ方向）に固定される。
【００２７】
また、本実施形態では、図４および図５に示すように、画像データ受信部３は、携帯電話２の装着時において、携帯電話２の幅方向の中心に設けられた画像データ送信部２ｂと対向する位置に設けられている。これにより、携帯電話２を保持部１０に固定すれば、画像データ送信部２ｂから送信される赤外線は、確実に画像データ受信部３に入射するため、送信エラーが抑制される。また、携帯電話２の装着時の画像データ送信部２ｂと画像データ受信部３との距離は、図４に示すように、画像データ送信部２ｂが携帯電話２の中心から外れた位置（幅方向の端部）に存在する場合（画像データ送信部２ｃまたは２ｄの場合）にもＩｒ−ＤＡの指向角（３０°）の範囲内に入るように設定されている。
【００２８】
次に、図１３〜図１９を参照して、本実施形態による熱転写プリンタに携帯電話を装着する方法を説明する。
【００２９】
まず、最初に図１３に示すように、固定部材１２の一方を矢印Ｃ方向に移動させることにより、携帯電話２を載置するスペースを作る（図１４参照）。その後、図１５に示すように、携帯電話２をそのスペースに置いた状態で、固定部材１２から手を離す。これにより、図１６に示すように、圧縮コイルバネ１４の弾性力により固定部材１２は携帯電話２側（Ｄ方向）に移動する。その後、付勢された固定部材１２は、携帯電話２に当接し、携帯電話２も固定部材１２と一体的にＤ方向に移動する。その後、図１７に示すように、携帯電話２は、他方の固定部材１２に当接する。他方の固定部材１２は、一方の固定部材１２と逆方向（図１７のＥ方向）に付勢されているため、携帯電話２は、一方の固定部材１２と他方の固定部材１２とにより固定される。ここで、一対の圧縮コイルバネ１４はバネ定数が等しいため、図１８に示すように、携帯電話２の幅方向の中心は、保持部１０のほぼ中央（中心線６０上）で停止する。また、図１９に示すように、携帯電話２とは幅の異なる携帯電話２１を装着した場合でも同様に、携帯電話２１の幅方向の中心は、保持部１０のほぼ中央（中心線６０上）で固定される。また、携帯電話２を取り外すときも、一方の固定部材１２を携帯電話２と逆方向にスライドさせれば取り外すことができるため、携帯電話２の脱着を容易に行うことが可能である。
【００３０】
次に、図３および図４を参照して、本実施形態における熱転写プリンタの画像データの通信動作の説明をする。
【００３１】
まず、携帯電話２を保持部１０に装着する。その後、筐体１に設けられた切り換えボタン７を押す。これにより、熱転写プリンタは、携帯電話２と通信可能な状態となる。その後、携帯電話２で画像データの送信操作を行うことにより、画像データが携帯電話２の画像データ送信部２ｂ（図４参照）から熱転写プリンタの画像データ受信部３に送信される。この際、携帯電話２は、熱転写プリンタに固定されているので、送信エラーが抑制される。正常に受信された画像データの画像は表示部４に表示される。これにより、ユーザーは、正常に画像データの受信がされたことを確認する。そして、その画像データに基づいて印刷が行われる。また、正常に受信が行われなかった場合は、筐体１に設けられた表示ランプ８が点滅することにより、ユーザーは、送信エラーとなったことを確認する。
【００３２】
本実施形態では、上記のように、筐体１に携帯電話２を保持する保持部１０を設けるとともに、その保持部１０に、携帯電話２に当接するスライド可能な固定部材１２を設けることによって、携帯電話２の幅に応じて固定部材１２と携帯電話２との当接位置を調節することができるので、幅の異なる携帯電話２にも対応することができる。また、固定部材１２を、携帯電話２の幅方向（Ａ方向）および携帯電話２の幅方向と直交する方向（Ｂ方向）に押圧するように携帯電話２と当接するように形成することによって、携帯電話２を携帯電話２の幅方向のみならず、携帯電話２の幅方向と直交する方向にも押圧して固定することができる。これにより、携帯電話２が携帯電話２の幅方向と直交する方向に外れるのを有効に抑制することができる。また、携帯電話２の固定状態において、携帯電話２の画像データ送信部２ｂと対応する位置に設けられるとともに、携帯電話２の画像データ送信部２ｂから送信される画像データを赤外線通信により受信するための画像データ受信部３を設けることによって、画像データの送信期間中に画像データ送信部２ｂと画像データ受信部３との位置関係が固定されるので、通信エラーを抑制することができる。
【００３３】
また、本実施形態では、上記のように、固定部材１２の携帯電話２側の側面に下方から上方に向かって突出する傾斜部１２ａを設け、その傾斜部１２ａを携帯電話２の幅方向（Ａ方向）および携帯電話２の幅方向と直交する方向（Ｂ方向）に押圧するように携帯電話２の側面上部に当接させるように構成することによって、厚みｔ１と異なる厚みｔ２を有する携帯電話２０を装着した場合でも、傾斜部１２ａが携帯電話２０の側面上部に当接するので、厚みｔ１と異なる厚みｔ２を有する携帯電話２０についても、携帯電話２０の幅方向（Ａ方向）のみならず、携帯電話２０の幅方向と直交する方向（Ｂ方向）にも固定することができる。
【００３４】
また、本実施形態では、上記のように、保持部１０を、携帯電話２の幅方向（Ａ方向）にスライド可能で、かつ、携帯電話２を幅方向（Ａ方向）から挟み込むように配置した一対の固定部材１２を含み、圧縮コイルバネ１４により一対の固定部材１２を携帯電話２側に付勢することによって、携帯電話２を一対の固定部材１２の間に置くだけで、携帯電話２は、圧縮コイルバネ１４の付勢力により付勢された一対の固定部材１２に両側から押圧されるため、携帯電話２を保持部１０に固定することができる。また、一方の固定部材１２を付勢力に抗してスライドさせるだけで固定状態を解除することができる。このため、携帯電話２の脱着を容易に行うことができる。
【００３５】
また、本実施形態では、上記のように、一対の圧縮コイルバネ１４のバネ定数を等しくすることによって、携帯電話２の幅方向の両側面にかかる押圧力が等しくなるので、携帯電話２の幅が異なる場合にも、携帯電話２の幅の中心を保持部１０の中心に自動的に配置することができる。このため、携帯電話２の幅方向の中心部に画像データ送信部２ｂが位置する場合に、携帯電話２の幅が異なる際にも、携帯電話２の画像データ送信部２ｂと、熱転写プリンタの画像データ受信部３との位置関係を同じにすることができるので、良好な通信を行うことができる。
【００３６】
また、本実施形態では、上記のように、保持部１０の支持板１３の固定部材１２に対応する位置に孔１３ａを設け、固定部材１２に、孔１３ａにスライド可能に嵌合する凸状の嵌合部１２ｃを設けることによって、固定部材１２が圧縮コイルバネ１４の付勢方向にスライドする際に、固定部材１２の嵌合部１２ｃが孔１３ａに引っ掛かるので、圧縮コイルバネ１４により付勢されている固定部材１２が必要以上に付勢方向に移動するのを防止することができる。
【００３７】
なお、今回開示された実施形態は、全ての点で例示であって、制限的なものではないと考えられるべきである。本発明の範囲は、上記した実施形態の説明ではなく、特許請求の範囲によって示され、さらに特許請求の範囲と均等の意味および範囲内でのすべての変更が含まれる。
【００３８】
たとえば、上記実施形態では、画像形成装置の一例として、熱転写プリンタを示したが、本発明はこれに限らず、画像形成装置であれば、熱転写プリンタ以外の他の画像形成装置にも適用可能である。
【００３９】
また、上記実施形態では、携帯機器の一例として、携帯電話を示したが、本発明はこれに限らず、ＰＤＡ（ＰｅｒｓｏｎａｌＤｉｇｉｔａｌ Ａｓｓｉｓｔａｎｃｅ；携帯情報端末）などの他の携帯機器にも適用可能である。
【００４０】
また、上記実施形態では、無線通信の一例として、Ｉｒ−ＤＡ規格による赤外線通信を示したが、本発明はこれに限らず、Ｂｌｕｅ  ｔｏｏｔｈなどの他の無線通信規格を用いる携帯機器にも適用可能である。
【図面の簡単な説明】
【００４１】
【図１】本発明の一実施形態による熱転写プリンタの全体構成を示す斜視図である。
【図２】本発明の一実施形態による熱転写プリンタに装着される携帯電話を示す斜視図である。
【図３】本発明の一実施形態による熱転写プリンタに携帯電話が装着された状態を示す斜視図である。
【図４】図３の平面図である。
【図５】図４の１００−１００線に沿った断面図である。
【図６】図１の上面図である。
【図７】図６の３００−３００線に沿った断面図である。
【図８】本発明の一実施形態による筐体、固定部材、支持板、コイルバネおよびネジの分解斜視図である。
【図９】本発明の一実施形態による熱転写プリンタの固定部材およびコイルバネを除いた状態の上面図である。
【図１０】図９の４００−４００線に沿った断面図である。
【図１１】図４の２００−２００線に沿った断面図である。
【図１２】厚みの異なる携帯電話を本発明の一実施形態による熱転写プリンタの保持部に取り付けた場合を示す断面図である。
【図１３】本発明の一実施形態による熱転写プリンタの保持部に携帯電話を装着する方法を説明するための断面図である。
【図１４】本発明の一実施形態による熱転写プリンタの保持部に携帯電話を装着する方法を説明するための断面図である。
【図１５】本発明の一実施形態による熱転写プリンタの保持部に携帯電話を装着する方法を説明するための断面図である。
【図１６】本発明の一実施形態による熱転写プリンタの保持部に携帯電話を装着する方法を説明するための断面図である。
【図１７】本発明の一実施形態による熱転写プリンタの保持部に携帯電話を装着する方法を説明するための断面図である。
【図１８】携帯電話を本発明の一実施形態による熱転写プリンタに装着した状態での携帯電話の位置を示す平面図である。
【図１９】異なる幅の携帯電話を本発明の一実施形態による熱転写プリンタに装着した状態での携帯電話の位置を示す平面図である。
【図２０】従来の熱転写プリンタと携帯電話とのデータ通信を示す斜視図である。
【図２１】従来の熱転写プリンタと携帯電話との赤外線通信ができる場合を示す図２０の５００−５００線に沿った断面図である。
【図２２】従来の熱転写プリンタと携帯電話との赤外線通信ができない場合を示す図２０の５００−５００線に沿った断面図である。
【符号の説明】
【００４２】
１      筐体
２      携帯電話（携帯機器）
２ａ    カメラ部
２ｂ    画像データ送信部
３      画像データ受信部
１０    保持部
１２    固定部材
１２ａ  傾斜部
１２ｃ  嵌合部
１３ａ  孔
１４    圧縮コイルバネ（付勢部材）    
【図１】
2007182010.tif 000003
【図２】
2007182010.tif 000004
【図３】
2007182010.tif 000005
【図４】
2007182010.tif 000006
【図５】
2007182010.tif 000007
【図６】
2007182010.tif 000008
【図７】
2007182010.tif 000009
【図８】
2007182010.tif 000010
【図９】
2007182010.tif 000011
【図１０】
2007182010.tif 000012
【図１１】
2007182010.tif 000013
【図１２】
2007182010.tif 000014
【図１３】
2007182010.tif 000015
【図１４】
2007182010.tif 000016
【図１５】
2007182010.tif 000017
【図１６】
2007182010.tif 000018
【図１７】
2007182010.tif 000019
【図１８】
2007182010.tif 000020
【図１９】
2007182010.tif 000021
【図２０】
2007182010.tif 000022
【図２１】
2007182010.tif 000023
【図２２】
2007182010.tif 000024